Podtech/llm-jp-corpus-v4-ja_patent huggingface dataset:
(57)【要約】 【課題】 厚い紙束を切断するとき、紙の束がずれることを防ぐため。【解決手段】 刃の両面に角度をつけた。 【選択図】図３
2005288632.tif 000002
【特許請求の範囲】
【請求項１】
シートの厚い束切断に用いられる刃において、その刃先の角度を迎え角のみとせず、逆面にも微妙な迎え角をつけたことを特徴とする、シート束切断の刃形状。
【発明の詳細な説明】
【技術分野】
【０００１】
事務所の紙束切断。
厚い紙の束を切断するときの紙ずれを防ぐものである。
【発明の開示】
【発明が解決しようとする課題】
【０００２】
一般に事務所などで使われる、紙の切断機には鋭角片面の刃がついていて、厚い紙などを平行に押し切ろうとするときに、ずれないように紙の束を強く押し付けてから切るようになっている。
【０００３】
しかし、実際にはこの力を十分強くすることは難しい。とくに、事務所などでは人力でかけられる力程度でないと安全の不安が生じる。
そのため図２のように、押し切ると共に下の紙が刃の方にずれていってしまうことがおきやすい。
【０００４】
このため、刃自体を紙がずれにくい形状にしようとしたものである。
【課題を解決するための手段】
【０００５】
図３のように、刃１の角度を通常の角度１１の他に、反対面からのごく薄い角度１２をもたせる。
または図４のように、刃１の角度１１の反対がわに角度１２をもった刃２を取りつける。
【発明の効果】
【０００６】
その結果、図３の左端のように紙の束の端がずれないので、紙を一定の長さで切ることができる。
【実施例１】
【０００７】
実施例としてはふつうの切断機に取り付けるだけなので省略する。
【産業上の利用可能性】
【０００８】
紙束を押しつける力をあまり強くしなくてもよくなるので、安全性が増す。
【図面の簡単な説明】
【０００９】
【図１】通常の刃と角度と紙束の位置関係。
【図２】通常の刃が押し切っていくにつれ、紙がずれていくようす。
【図３】本考案のように刃の角度をつけた場合。
【図４】本考案の変形。
【符号の説明】
【００１０】
１    刃、その断面方向の形。
２    入力書面
３    紙の束
１１  迎え角。（通常）
１２  逆にうすくつけた角度。
１３  ずれによって生じた斜め角
【図１】
2005288632.tif 000003
【図２】
2005288632.tif 000004
【図３】
2005288632.tif 000005
【図４】
2005288632.tif 000006
(57)【要約】【課題】  循環ポンプの停止時にエゼクタ内部で発生する水撃現象を防止することのできる真空ポンプ装置を提供する。【解決手段】  エゼクタ１とタンク２と循環ポンプ３を順次接続する。エゼクタ１の吸込室８に管路１０を接続する。エゼクタ１の下部のディフューザ部７に平板状の大気吸入弁９を取り付ける。大気吸入弁９に対向する位置に貫通孔１１を設ける。  循環ポンプ３の駆動が停止した場合、エゼクタ１内は真空状態であるために大気吸入弁９から大気を吸引することによって、エゼクタ１の内部で水撃現象を発生することがない。【選択図】      図１
2005226564.tif 000002
【特許請求の範囲】
【請求項１】
エゼクタとタンクと循環ポンプを連通して、タンク内の流体を循環ポンプの駆動によってエゼクタへ供給するものにおいて、循環ポンプの駆動流体が供給されている場合は閉弁し駆動流体が供給されていない場合は開弁する大気吸入弁を、エゼクタのディフューザ部に取り付けたことを特徴とする真空ポンプ装置。
【発明の詳細な説明】
【技術分野】
【０００１】
本発明は、エゼクタとタンクと循環ポンプを組み合わせた真空ポンプ装置に関し、特に、循環ポンプの停止時にエゼクタ内部で発生する水撃現象、すなわち、液体がエゼクタ内部の壁面等に激しく衝突して衝撃や振動を発生する現象、を防止することのできる真空ポンプ装置に関する。
【背景技術】
【０００２】
真空ポンプ装置は、大気圧以下の真空状態の流体を吸引することができるもので、タンク内の流体を循環ポンプでエゼクタに供給してやることによって、エゼクタで真空吸引力を発生して流体を吸引するものである。
【０００３】
このエゼクタとタンクと循環ポンプを組み合わせた真空ポンプ装置においては、循環ポンプの停止時にタンク内の液体がエゼクタ内へ逆流することによる水撃現象に伴う騒音と衝撃を発生する問題があった。
【０００４】
水撃現象は、循環ポンプでタンク内の液体をエゼクタへ供給して、エゼクタ内を真空状態に維持している時に、循環ポンプを停止した瞬間にエゼクタ内へ液体が逆流して発生するもので、液体がエゼクタ内部で激しく衝突することによる衝撃や振動を伴う。
【特許文献１】特開平８−３１２６００号公報
【発明の開示】
【発明が解決しようとする課題】
【０００５】
解決しようとする問題点は、循環ポンプの停止時にエゼクタ内部で発生する水撃現象を防止して振動や騒音を発生することのない真空ポンプ装置を提供することである。
【課題を解決するための手段】
【０００６】
本発明は、エゼクタとタンクと循環ポンプを連通して、タンク内の流体を循環ポンプの駆動によってエゼクタへ供給するものにおいて、循環ポンプの駆動流体が供給されている場合は閉弁し駆動流体が供給されていない場合は開弁する大気吸入弁を、エゼクタのディフューザ部に取り付けたものである。
【発明の効果】
【０００７】
本発明の真空ポンプ装置は、循環ポンプから駆動流体が供給されている場合は閉弁し駆動流体が供給されていない場合は開弁する大気吸入弁を、エゼクタのディフューザ部に取り付けたことにより、この開弁した大気吸入弁からエゼクタ内へ大気が吸引されて、エゼクタ内部の真空状態が解除されることによって、液体のエゼクタ内部への逆流が防止され水撃現象を生じることがない。
【発明を実施するための最良の形態】
【０００８】
本発明は、循環ポンプからエゼクタへ流体が圧送されている場合に、大気圧以上の正圧となるディフューザ部に、大気吸入弁を取り付けることが好適である。
【実施例１】
【０００９】
図１において、円筒状のタンク２に取り付けたエゼクタ１と、タンク２下部から管路４を介して接続した循環ポンプ３、及び、循環ポンプ３の上部吐出口とエゼクタ１の入口５とを連通する管路６とで真空ポンプ装置を構成する。
【００１０】
エゼクタ１は、液体入口５と吸込室８とディフューザ部７、及び、ディフューザ部７の下方内部に取り付けた大気吸入弁９とで構成する。ディフューザ部７はタンク２の内部に配置する。吸込室８の側面には、吸引すべき流体源と連通する管路１０を接続する。管路１０からは主に蒸気を含む気体と水等の液体との混合流体が流下してくる。
【００１１】
大気吸入弁９は、平板状の板弁の上端をディフューザ部７の内周壁面にヒンジ接合して揺動自在に配置すると共に、この平板状の大気吸入弁９に対向するディフューザ部７の壁面に貫通孔１１を設けて構成する。
【００１２】
循環ポンプ３が駆動されてディフューザ部７内へ駆動流体が供給されると、大気吸入弁９は、下方へ流下する駆動流体から受ける力及びディフューザ部７での圧力回復に応じた大気圧以上の正圧とによって、ディフューザ部７の内周壁面に密着して貫通孔１１を閉孔する。
【００１３】
一方、循環ポンプ３が停止されてディフューザ部７への駆動流体の供給が停止されると、ディフューザ部７内を流下する流体もなくなり内部全体が真空状態となることによって、大気吸入弁９は図１に示すようにヒンジ接合部を中心として貫通孔１１を開孔する。このように大気吸入弁９が開弁すると貫通孔１１から大気を吸引してエゼクタ１へ大気が供給され、内部の真空状態が解除されると共に、タンク２内の液体のエゼクタ１内部への逆流が防止され水撃現象を生じることがない。
【００１４】
タンク２の上部には不凝縮気体排出及びオーバーフロー管２２を接続する。タンク２の下部にはタンク２内の液体排出管２３を接続する。
【００１５】
循環ポンプ３を駆動してタンク２内の液体をエゼクタ１へ供給すると、吸込室８で吸引力を生じて管路１０から蒸気を含む流体を吸引して、両方の流体は混合されながらディフューザ７内を流下してタンク２内に溜まる。
【００１６】
駆動していた循環ポンプ３を停止した場合、吸込室８内とディフューザ７内は真空状態であるために、大気吸入弁９を通して大気が吸引されて大気圧状態となる。このように大気をエゼクタ１内に吸引することによって、タンク２内の液体がディフューザ７の下端開口から逆流してエゼクタ１内で衝撃的な水撃現象を生じることを防止する。
【産業上の利用可能性】
【００１７】
大気吸入弁から大気を吸入して真空状態を解除することによって、循環ポンプの停止時にエゼクタ内部で発生する水撃現象を防止することができる。
【図面の簡単な説明】
【００１８】
【図１】本発明の真空ポンプ装置の実施例を示す一部断面構成図。
【符号の説明】
【００１９】
１ エゼクタ
２ タンク
３ 循環ポンプ
７ ディフューザ部
８ 吸込室
９  大気吸入弁
１１  貫通孔
【図１】
2005226564.tif 000003
(57)【要約】【課題】  循環ポンプの停止時にエゼクタ内部で発生する水撃現象を防止することのできる真空ポンプ装置を提供する。【解決手段】  エゼクタ１とタンク２と循環ポンプ３を順次接続する。エゼクタ１の吸込室８に管路１０と分岐管１１を介して大気吸入弁９を取り付ける。大気吸入弁９には、循環ポンプ３と連通する駆動流体導入口１２と、エゼクタ１の内部と連通する大気通過口１３、及び、大気吸引口１４を設ける。  循環ポンプ３の駆動が停止した場合、エゼクタ１内は真空状態であるために大気吸入弁９から大気を吸引することによって、エゼクタ１の内部で水撃現象を発生することがない。【選択図】      図１
2005226562.tif 000002
【特許請求の範囲】
【請求項１】
エゼクタとタンクと循環ポンプを連通して、タンク内の流体を循環ポンプの駆動によってエゼクタへ供給するものにおいて、循環ポンプの駆動流体が供給されている場合は閉弁し、駆動流体が供給されていない場合は開弁する大気吸入弁を取り付けたことを特徴とする真空ポンプ装置。
【発明の詳細な説明】
【技術分野】
【０００１】
本発明は、エゼクタとタンクと循環ポンプを組み合わせた真空ポンプ装置に関し、特に、循環ポンプの停止時にエゼクタ内部で発生する水撃現象、すなわち、液体がエゼクタ内部の壁面等に激しく衝突して衝撃や振動を発生する現象、を防止することのできる真空ポンプ装置に関する。
【背景技術】
【０００２】
真空ポンプ装置は、大気圧以下の真空状態の流体を吸引することができるもので、タンク内の流体を循環ポンプでエゼクタに供給してやることによって、エゼクタで真空吸引力を発生して流体を吸引するものである。
【０００３】
このエゼクタとタンクと循環ポンプを組み合わせた真空ポンプ装置においては、循環ポンプの停止時にタンク内の液体がエゼクタ内へ逆流することによる水撃現象に伴う騒音と衝撃を発生する問題があった。
【０００４】
水撃現象は、循環ポンプでタンク内の液体をエゼクタへ供給して、エゼクタ内を真空状態に維持している時に、循環ポンプを停止した瞬間にエゼクタ内へ液体が逆流して発生するもので、液体がエゼクタ内部で激しく衝突することによる衝撃や振動を伴う。
【特許文献１】特開平８−３１２６００号公報
【発明の開示】
【発明が解決しようとする課題】
【０００５】
解決しようとする問題点は、循環ポンプの停止時にエゼクタ内部で発生する水撃現象を防止して振動や騒音を発生することのない真空ポンプ装置を提供することである。
【課題を解決するための手段】
【０００６】
本発明は、エゼクタとタンクと循環ポンプを連通して、タンク内の流体を循環ポンプの駆動によってエゼクタへ供給するものにおいて、循環ポンプの駆動流体が供給されている場合は閉弁し、駆動流体が供給されていない場合は開弁する大気吸入弁を取り付けたものである。
【発明の効果】
【０００７】
本発明の真空ポンプ装置は、循環ポンプから駆動流体が供給されている場合は閉弁し、一方、駆動流体が供給されていない場合は開弁する大気吸入弁を取り付けたことにより、この開弁した大気吸入弁からエゼクタ内へ大気が吸引されて、エゼクタ内部の真空状態が解除されることによって、液体のエゼクタ内部への逆流が防止され水撃現象を生じることがない。
【発明を実施するための最良の形態】
【０００８】
本発明は、大気吸入弁をエゼクタへ直接に、あるいは、エゼクタの近傍に取り付けることができる。
【実施例１】
【０００９】
図１において、円筒状のタンク２に取り付けたエゼクタ１と、タンク２下部から管路４を介して接続した循環ポンプ３、及び、循環ポンプ３の上部吐出口とエゼクタ１の入口５とを連通する管路６とで真空ポンプ装置を構成する。
【００１０】
エゼクタ１は、液体入口５と吸込室８とディフューザ部７とで構成する。ディフューザ部７はタンク２の内部に配置する。吸込室８の側面には、吸引すべき流体源と連通する管路１０を接続する。管路１０からは主に蒸気を含む気体と水等の液体との混合流体が流下してくる。
【００１１】
管路１０に分岐管１１を介して大気吸入弁９を取り付ける。大気吸入弁９の断面構成図を図２に示す。大気吸入弁９は、循環ポンプ３からの駆動流体導入口１２を管路６と接続し、大気通過口１３を分岐管１１と接続すると共に大気吸引口１４を設ける。大気通過口１３の上部で大気吸引口１４との連通部１５の上端に、円板状の大気吸引弁体１６を上下動自在に配置する。大気吸引弁体１６の上方に連結棒１７を介して平板状のピストン１８を連結する。ピストン１８の上下動に応じて大気吸引弁体１６も上下動して、大気吸引口１４と大気通過口１３の連通部１５を連通あるいは遮断するものである。
【００１２】
ピストン１８の下部と弁ケーシング１９の壁面２０との間にコイルバネ２１を配置する。循環ポンプ３が駆動されて駆動流体が管路６から駆動流体導入口１２へ供給されると、ピストン１８がコイルバネ２１を圧縮しながら下動することによって、大気吸引弁体１６が連通部１５を閉口して、大気吸引口１４から大気通過口１３への大気の吸引を停止する。
【００１３】
一方、循環ポンプ３の駆動が停止され駆動流体導入口１２からの流体の供給が停止されると、圧縮していたコイルバネ２１の弾性力によってピストン１８と大気吸引弁体１６が上方へ移動して連通部１５を開口することにより、大気吸引口１４から大気通過口１３へ大気が吸引され、分岐管１１を通して吸引された大気がエゼクタ１内へ流入し、内部の真空状態が解除され、タンク２内の液体のエゼクタ１内部への逆流が防止され水撃現象を生じることがない。
【００１４】
タンク２の上部には不凝縮気体排出及びオーバーフロー管２２を接続する。タンク２の下部にはタンク２内の液体排出管２３を接続する。
【００１５】
循環ポンプ３を駆動してタンク２内の液体をエゼクタ１へ供給すると、吸込室８で吸引力を生じて管路１０から蒸気を含む流体を吸引して、両方の流体は混合されながらディフューザ７内を流下してタンク２内に溜まる。
【００１６】
駆動していた循環ポンプ３を停止した場合、吸込室８内とディフューザ７内は真空状態であるために、大気吸入弁９を通して大気が吸引されて大気圧状態となる。このように大気をエゼクタ１内に吸引することによって、タンク２内の液体がディフューザ７の下端開口から逆流してエゼクタ１内で衝撃的な水撃現象を生じることを防止する。
【産業上の利用可能性】
【００１７】
大気吸入弁から大気を吸入して真空状態を解除することによって、循環ポンプの停止時にエゼクタ内部で発生する水撃現象を防止することができる。
【図面の簡単な説明】
【００１８】
【図１】本発明の真空ポンプ装置の実施例を示す構成図。
【図２】本発明の真空ポンプ装置に用いる大気吸入弁の断面構成図。
【符号の説明】
【００１９】
１ エゼクタ
２ タンク
３ 循環ポンプ
７ ディフューザ
８ 吸込室
９  大気吸入弁
１２  駆動流体導入口
１３  大気通過口
１４  大気吸引口
１６  大気吸引弁体
１８  ピストン
２１  コイルバネ
【図１】
2005226562.tif 000003
【図２】
2005226562.tif 000004
(57)【要約】【課題】  循環ポンプの停止時にエゼクタ内部で発生する水撃現象を防止することのできる真空ポンプ装置を提供する。【解決手段】  エゼクタ１とタンク２と循環ポンプ３を循環路６で接続する。エゼクタ１の吸込室８に管路１０を取り付ける。循環路６に大気吸入弁９を取り付ける。大気吸入弁９には入口１１と出口１２を設けて、循環ポンプ３が駆動している場合に大気吸引口１６，１７を閉口し、駆動していない場合に大気吸引口１６，１７を開口する。  循環ポンプ３の駆動が停止した場合、エゼクタ１内は真空状態であるために大気吸入弁９から大気を吸引することによって、エゼクタ１の内部で水撃現象を発生することがない。【選択図】      図１
2005226565.tif 000002
【特許請求の範囲】
【請求項１】
エゼクタとタンクと循環ポンプを循環路を介して連通して、タンク内の流体を循環ポンプの駆動によってエゼクタへ供給するものにおいて、循環ポンプの駆動流体が供給されている場合は閉弁し駆動流体が供給されていない場合は開弁する大気吸入弁を、循環路に取り付けたことを特徴とする真空ポンプ装置。
【発明の詳細な説明】
【技術分野】
【０００１】
本発明は、エゼクタとタンクと循環ポンプを組み合わせた真空ポンプ装置に関し、特に、循環ポンプの停止時にエゼクタ内部で発生する水撃現象、すなわち、液体がエゼクタ内部の壁面等に激しく衝突して衝撃や振動を発生する現象、を防止することのできる真空ポンプ装置に関する。
【背景技術】
【０００２】
真空ポンプ装置は、大気圧以下の真空状態の流体を吸引することができるもので、タンク内の流体を循環ポンプでエゼクタに供給してやることによって、エゼクタで真空吸引力を発生して流体を吸引するものである。
【０００３】
このエゼクタとタンクと循環ポンプを組み合わせた真空ポンプ装置においては、循環ポンプの停止時にタンク内の液体がエゼクタ内へ逆流することによる水撃現象に伴う騒音と衝撃を発生する問題があった。
【０００４】
水撃現象は、循環ポンプでタンク内の液体をエゼクタへ供給して、エゼクタ内を真空状態に維持している時に、循環ポンプを停止した瞬間にエゼクタ内へ液体が逆流して発生するもので、液体がエゼクタ内部で激しく衝突することによる衝撃や振動を伴う。
【特許文献１】特開平８−３１２６００号公報
【発明の開示】
【発明が解決しようとする課題】
【０００５】
解決しようとする問題点は、循環ポンプの停止時にエゼクタ内部で発生する水撃現象を防止して振動や騒音を発生することのない真空ポンプ装置を提供することである。
【課題を解決するための手段】
【０００６】
本発明は、エゼクタとタンクと循環ポンプを循環路を介して連通して、タンク内の流体を循環ポンプの駆動によってエゼクタへ供給するものにおいて、循環ポンプの駆動流体が供給されている場合は閉弁し駆動流体が供給されていない場合は開弁する大気吸入弁を、循環路に取り付けたものである。
【発明の効果】
【０００７】
本発明の真空ポンプ装置は、循環ポンプから駆動流体が供給されている場合は閉弁し、一方、駆動流体が供給されていない場合は開弁する大気吸入弁を循環路に取り付けたことにより、この開弁した大気吸入弁からエゼクタ内へ大気が吸引されて、エゼクタ内部の真空状態が解除されることによって、液体のエゼクタ内部への逆流が防止され水撃現象を生じることがない。
【発明を実施するための最良の形態】
【０００８】
本発明は、大気吸入弁を循環ポンプからエゼクタの間に取り付けることが好適である。
【実施例１】
【０００９】
図１において、円筒状のタンク２に取り付けたエゼクタ１と、タンク２下部から管路４を介して接続した循環ポンプ３、及び、循環ポンプ３の上部吐出口とエゼクタ１の入口５とを連通する循環路６とで真空ポンプ装置を構成する。
【００１０】
エゼクタ１は、液体入口５と吸込室８とディフューザ部７とで構成する。ディフューザ部７はタンク２の内部に配置する。吸込室８の側面には、吸引すべき流体源と連通する管路１０を接続する。管路１０からは主に蒸気を含む気体と水等の液体との混合流体が流下してくる。
【００１１】
エゼクタ１の近傍の循環路６に大気吸入弁９を取り付ける。大気吸入弁９は、循環路６に入口１１を接続し、出口１２をエゼクタ１の吸込室８側と接続する。大気吸入弁９の断面構成図を図２に示す。大気吸入弁９は、入口１１側に配置した断面コ字状のピストン弁１３と、このピストン弁１３を入口１１方向へ付勢するコイルバネ１４と、大気吸入弁９のケーシング１５に設けた大気吸引口１６，１７とで構成する。ピストン弁１３の上端には貫通孔１８を設けて、入口１１と出口１２の間を連通させる。
【００１２】
循環ポンプ３が駆動されて駆動流体が循環路６から大気吸入弁９へ供給されると、ピストン弁１３がコイルバネ１４を圧縮しながら下動することによって、大気吸引口１６，１７を閉口して大気の吸引を停止する。
【００１３】
一方、循環ポンプ３の駆動が停止され大気吸入弁９への流体の供給が停止されると、図２に示すように圧縮していたコイルバネ１４の弾性力によってピストン弁１３が上方へ移動して大気吸引口１６，１７を開口することにより、エゼクタ１内へ大気が流入し、内部の真空状態が解除され、タンク２内の液体のエゼクタ１内部への逆流が防止され水撃現象を生じることがない。
【００１４】
タンク２の上部には不凝縮気体排出及びオーバーフロー管２２を接続する。タンク２の下部にはタンク２内の液体排出管２３を接続する。
【００１５】
循環ポンプ３を駆動してタンク２内の液体をエゼクタ１へ供給すると、吸込室８で吸引力を生じて管路１０から蒸気を含む流体を吸引して、両方の流体は混合されながらディフューザ７内を流下してタンク２内に溜まる。
【００１６】
駆動していた循環ポンプ３を停止した場合、吸込室８内とディフューザ７内及び大気吸入弁９内部は真空状態であるために、大気吸入弁９を通して大気が吸引されて大気圧状態となる。このように大気をエゼクタ１内に吸引することによって、タンク２内の液体がディフューザ７の下端開口から逆流してエゼクタ１内で衝撃的な水撃現象を生じることを防止する。
【産業上の利用可能性】
【００１７】
大気吸入弁から大気を吸入して真空状態を解除することによって、循環ポンプの停止時にエゼクタ内部で発生する水撃現象を防止することができる。
【図面の簡単な説明】
【００１８】
【図１】本発明の真空ポンプ装置の実施例を示す構成図。
【図２】本発明の真空ポンプ装置に用いる大気吸入弁の断面構成図。
【符号の説明】
【００１９】
１ エゼクタ
２ タンク
３ 循環ポンプ
６  循環路
７ ディフューザ
８ 吸込室
９  大気吸入弁
１１  入口
１２  出口
１３  ピストン弁
１４  コイルバネ
１６，１７  大気吸引口
【図１】
2005226565.tif 000003
【図２】
2005226565.tif 000004
(57)【要約】【課題】峡小空間に設置が可能で、空力騒音が小さく、高空の風を利用できる大容量風力発電用風車を得ること。【解決手段】複数の並進翼風車を鉛直方向に配置することにより解決する。並進翼風車は、縦横比を任意に設定できるため、並進翼風車の横幅を小さくすることにより本発明風車設置時の水平空間制限はプロペラタイプの風車より大幅に緩和でき、かつ、並進翼風車の高さは高度方向に任意に伸ばすことができるので高空の風を容易に利用できる。また、並進翼風車はプロペラタイプの風車よりジャイロモーメントを小さくできるので風向偏向への追従性を高めることができる。この特長により、狭小空間での大容量風力発電が可能になる。また、並進翼風車は空力音が小さいため住宅地内での設置も可能である。【選択図】図２
2005226537.tif 000002
【特許請求の範囲】
【請求項１】
特願２００２−０７１２７０を適用した風車を以下で並進翼風車と呼ぶ。
複数の並進翼風車が、一軸周りに回転自由に軸方向に沿って多段に設置された風車あるいはそれらを組み合わせた風車
【発明の詳細な説明】
【技術分野】
【０００１】
狭小空間においても設置可能で、高度方向の風を有効に使う風車に関する。
【背景技術】
【０００２】
自然風は風向が変わり、また高度が上がるほど風速は速い。風力発電量を高めるためには、風車の受風面積を増やすこと、より風速の高い風を利用することにより可能である。従来、受風面積を大きくするためにローター径の大きな風車が開発されてきた。従来風車を設置するにはそのローターディスク直径相当の正方形面積以上の空間が必要になるため設置場所の選択に制限がある。また、一般に、風速は高度が高くなるほど速くなるが、プロペラブレード長は無制限には伸ばせないため、高空の風の利用には不向きである。風向の偏向への追従性の良し悪しも発電量の多寡に影響する。プロペラタイプの風車は大型になるほどジャイロ効果が強くなるので必然的に追従性も悪くなる。従来風車でさらに発電量を増すためには、複数台の風車を設置することになるが、プロペラタイプの風車では、捩れた後流や、ブレード先端が近い場合は、空力音が発生する等があり、複数台のプロペラタイプ風車の配置には空間的余裕が要求される。
【非特許文献１】牛山泉、他著  「小型風車ハンドブック」  パワー社  １９８０年
【発明の開示】
【発明が解決しようとする課題】
【０００３】
峡小空間に設置が可能で、空力騒音が小さく、高空の風を利用できる大容量風力発電用風車を得ることにある。
【課題を解決するための手段】
【０００４】
本発明は、複数の並進翼風車を鉛直方向に配置することを特徴とする。
【発明の効果】
【０００５】
並進翼風車は、縦横比を任意に設定できるため、並進翼風車の横幅を小さくすることにより本発明風車設置時の水平空間制限はプロペラタイプの風車より大幅に緩和でき、かつ、並進翼風車は高度方向に任意に伸ばすことができるので高空の風を容易に利用できる。また、並進翼風車はプロペラタイプの風車よりジャイロモーメントを小さくできるので風向偏向への追従性が高い。この特長により、狭小空間での大容量風力発電が可能になる。また、並進翼風車の後流は捩れはなく、並進翼風車同士が近くに配置されても筐体で覆われている等により空力的干渉はなく騒音の発生はない。
【発明を実施するための最良の形態】
【０００６】
風車設置場所の広狭に応じた縦横比の複数の並進翼風車を鉛直柱等に鉛直軸周りに回転自由に設置することにより、高空の風をも利用可能な風車を実現した。
【実施例１】
【０００７】
図１は本発明装置の１実施例である。並進翼風車１は互いに独立で、鉛直軸周りに回転できるように回転軸４で横支柱３に設置されている。１のブレード回転軸は水平である。図３のように１に側板６等を伸ばし風見安定をつけることにより１は常に風に正対する。図１では3台の並進翼風車を利用しているが、これを1台の並進翼風車で置き換えることも可能である。しかしながら後の維持保守の容易さの点からは、複数台の方が好ましい。
【０００８】
図2は本発明装置の１実施例である。支柱２を挟んで相対配置された2台の並進翼風車１は他の1（上あるいは下）とは独立に2の周りに回転自由に設置される。図1の配置では１が鉛直軸周りに回転した場合支柱の後流が１に流れこむ場合があるが、図2においてはそのようなことはない。フェアリング５は支柱２とは回転自由に1側に取付けられており、支柱2の周りの流れを整える働きをする。なお、図1の場合でも支柱２に風向に追随するようにフェアリングを施工することにより1に後流が流れこむことの影響を小さくすることができる。  また、フェアリングは支柱への空力荷重を下げるためにも有効である。  ５と１との取付けには、フェアリング上に発達する境界層が風車内に入らないように１と５の間に距離をおく方法がとられる。図2の配置での風見安定はフェアリングにより得ることができる。支柱は中空で、支柱内部を通して各１を所定の高さまで運搬できるようにすることで、1の設置は容易に行える。また、避けなければならない気象条件等の場合、1を2の中に引き込むことにより１の破損等を避けることができる。発電機は、各1ごとに設置するのが維持管理には適切であるが、図5のように各１の回転をギア８、９を用いて支柱2を鉛直に貫いて発電機１１に連接した軸７に伝達する方法等がある。この場合は全1の回転数を揃える必要があるが、1のブレードのピッチ角の制御で実行できる。なお、左右の９は回転方向を逆にする必要があるが、ピッチ角の取り方で左右の１の回転方向を逆にすることで対処できる。ただし、図５の場合はフェアリング５の風見安定の強さが適切でなければならない。    
【０００９】
図４は多数の支柱からなる本発明装置の1実施例である。発電量を増やすためには、できるだけ高空の風を受けるように装置を高くする。装置全体の構造強度確保には多支柱の構造が適切である。
【産業上の利用可能性】
【００１０】
本発明の利用により、陸上での風力発電可能な場所が大幅に増えるため、強い社会的要請でもある自然エネルギーの活用が促進できる。特に、ビルの林立する都会や住宅地内においては現状、大容量風力発電は難しいが、本発明の利用によりそれが可能になる。
【図面の簡単な説明】
【００１１】
【図１】並進翼風車を縦一列に設置した風車説明図である。（実施例１）
【図２】相対した並進翼風車を支柱に設置した風車説明図である。（実施例２）
【図３】並進翼風車に風見安定をつけるために側板を付けた説明図である。（実施例３）
【図４】多支柱構造の実施例である。（実施例４）
【図５】各並進翼風車の回転を一つの発電機に連接する方法の説明図である。（実施例５）
【符号の説明】
【００１２】
１    並進翼風車
２    支柱
３    横支柱
４    回転軸
５    フェアリング
６    側板
７    主軸
８    主軸を回転軸とするギア
９    並進翼風車のスプロケット軸を回転軸とするギア
１０    並進翼風車のスプロケット軸
１１    発電機
【図１】
2005226537.tif 000003
【図２】
2005226537.tif 000004
【図３】
2005226537.tif 000005
【図４】
2005226537.tif 000006
【図５】
2005226537.tif 000007
(57)【要約】【課題】  クランクによる往復運動において、往復運動と往復運動の間に時間を確保することが課題である。【解決の手段】  遊星歯車を使用し複数の回転を合わせる事で、変速な軌道をもつクランクを作り時間を確保する物である。【選択図】      図１
2005226820.tif 000002
【特許請求の範囲】
【請求項１】
同じ歯数の歯車を遊星運動させ、遊星する歯車の支点を軸とする変速クランク装置。
【発明の詳細な説明】
【発明の詳細な説明】
【技術分野】
【０００１】  クランクによる往復運動において、次の往復までに時間のとれる装置です。
【背景技術】
【０００２】  クランクを回転させ往復運動が終わった時点で、次の往復運動が始まり運動の間の時間がとれなかった。
【発明が解決しようとする課題】
【０００３】  クランクによる往復運動において、次の往復までに時間を確保する事が課題である。
【課題を解決するための手段】
【０００４】  遊星歯車を使用し、複数の回転を合わせる事で、変速な軌道をもつクランクを作り、時間を確保する物である。
【実施例】
【０００５】  図１で示したように、固定された太陽歯車１に対し遊星歯車２を矢印４方向に回転させる事により、支点３の軌道が（図２）の様になりクランクシャフト５が変速な往復運動をする。
【発明の効果】
【０００６】  連続往復運動において、次の往復までに時間を確保する事により、色んな分野においての利用が期待できる。
【図面の簡単な説明】
【０００７】
【図１】  太陽歯車１、遊星歯車２を示し、クランクの支点３を示した図である。
【図２】  支点３の軌道を示した図である。
【符号の説明】
【０００８】１    太陽歯車
２    遊星歯車
３    クランク支点
４    回転方向を示す矢印
５    クランクシャフト
【図１】
2005226820.tif 000003
【図２】
2005226820.tif 000004
(57)【要約】【課題】回転羽が自在に動き円滑に回転する事。【解決手段】羽が自在に動く為形状記憶合金の用な材質が考えられる。【選択図】図１
2005226630.tif 000002
【特許請求の範囲】
【請求項１】
回転する自在の羽。
【発明の詳細な説明】
【技術分野】
【０００１】ファン、ポンプ等流体の移動や流体を利用する。
【背景技術】
【０００２】従来のファン、ポンプ等の羽は固定されているものが使用されている。
【発明の開示】
【発明が解決しようとする課題】
【０００３】流体の移動、流をスムーズにする事。
【課題を解決するための手段】
【０００４】流体の抵抗を少なくする為自在羽にした。
【発明の効果】
【０００５】固定羽より効率的。
【発明を実施するための最良の形態】
【０００６】流体を運ぶ時羽に抵抗がかかり、流体に当らない時は無抵抗にする。
【実施例】
【０００７】流体と羽が一体となり無駄が無い。
【産業上の利用可能性】
【０００８】流体を一方向に移動させる効果が良い為ファン、ポンプ等に可能。
【図面の簡単な説明】
【０００９】
【図１】本発明の断面図である。
【符号の説明】
【００１０】１）は自在羽。    ２）は回転軸。    ３）は流体。
【図１】
2005226630.tif 000003
(57)【要約】【目的】  同一の風力発電において、直径が大小の風車を併用すると共に、ラチェットとフライホイールも利用して、微風から強風までの風の力を回転力に変換しようとする整流式自動変速風力発電である。【構成】  フライホイールを取りつけた回転軸に、ラチェットで接続するように直径が大小の風車を設置する、固定整流板と可動整流板によって風の流れを制御して、直径が大小の風車を回転させるようにした構造の整流式自動変速風力発電である。【選択図】  図１
2005226625.tif 000002
【特許請求の範囲】
【請求項１】
風車と、フライホイールを取りつけた回転軸との間を、ラチェット（自転車に用いられているボール・サイレント・ラチェット）で接続するようにして、風車の回転を、回転軸とフライホイールに伝達するようにした風力発電。
【請求項２】
同一の風力発電において、直径の大きい風車と直径の小さい風車を併用して低速回転から高速回転まで対応できるようにした風力発電。
【発明の詳細な説明】
【発明の詳細な説明】
この発明は、風車とフライホイールを取りつけた回転軸との間を、ラチェット（自転車に用いられているボール・サイレント・ラチェット）で接続し、風車の回転を、回転軸とフライホイールに伝達する、さらに直径の大きい風車と直径の小さい風車を併用して、低速回転から高速回転まで対応できるようにした風力発電に関するものである。
構造
固定整流板１、２を円状に配置し固定する。
固定整流板１、２の内側に可動整流板３、４を可動するように設置する。
可動整流板３、４の円の中心の位置に回転軸２０を配置する。
回転軸２０に風車７、８を固定しないで回転するように取りつける。
回転軸２０と風車７、８はラチェット１０、１１（ボール・サイレント・ラチェット）によって接続し、風車７、８の回転を回転軸２０に伝達する。
回転軸２０にフライホイール２１を取りつけ固定する。
回転軸２０に回転軸支え２２を取りつけ固定し、フライホイール２１と、回転軸２０の重量を軸受１７で支える。
回転軸２０と発電機１９を連結する。
軸受１２、１４、１６、１８を設置して回転軸２０のブレを防ぐ。
軸受１３で風車７を支え、軸受１５で風車８を支える。
風車８に誘導板９を取りつける。
風車７の羽根を支えるアーム部分を翼型の断面にする。
要点
直径の大きい風車８は、低速で回転するが高トルクなので微風でも回転するが直径の小さい風車７は、高速で回転するが低トルクなので大きな重量が加わると回転を始めるのが困難である、そこで直径の大きい風車８で始動する。
風車７が高速回転の状態に移行する場合、風車８と回転軸２０とを固定していれば風車８は高速回転の抵抗となるが、ラチェット１１によって風車８と回転軸２０とは自動的に切り離されるので、風車８が高速回転の抵抗となることはない。
風がとまり風車７、８の回転が減少あるいは停止しても、ラチェット１０、１１によって回転軸２０と風車７、８は自動的に切り離されるので、風車７、８の空気抵抗が排除され、回転軸２０とフライホイール２１は回転を持続する。
固定整流板１と可動整流板３で風の流れが速くなり、風車７は高速回転を得ることができる。（図４）
風車７の羽根５を支えるアーム部分の断面を翼型にすることによって、高速回転時の空気抵抗を減少させることができる。
図６は直径が大中小の風車を併用した場合の中央部断面を表すものである、この構造の場合、回転はより滑らかに、回転力はより強くなる。
図７は外見はダイヤモンドのような固定整流板の形であり、風車２９と回転軸２７はラチェット２８で接続しているが、風車３０は回転軸２７に固定した状態である、これは構造が簡素化できると共に、固定整流板の形状により、直径が大小の風車の上下が逆になった場合の構造を示すものである。
特長
大きい風車は、低速であるが回転力が強く微風でも回転し始める。（図５）
小さい風車は、回転力は弱いが高速で回転する。（図４）
ラチェットによって、回転力は回転軸へ伝達されるが、抵抗力は排除できる。
ラチェットによって、低速から高速へ滑らかに変速することができる。
ラチェットとフライホイールを併用すれば、風が止まってもラチェットによって、風車の抵抗が排除でき、回転軸とフライホイールは回転を継続する。
以上のように、同一の風力発電において直径が大小の風車を併用し、さらにラチェットの機能を利用すれば、微風から強風までが自動的に変速され、風力を容易に回転力に変換することができる。
【図面の簡単な説明】
【図１】  本発明の中央部Ａ−Ａ断面図。
【図２】  本発明の正面図。
【図３】  本発明の平面図。
【図４】  Ｂ−Ｂ部の断面の略図。
【図５】  Ｃ−Ｃ部の断面の略図。
【図６】  直径が大中小の風車を３段にした構造の中央部断面図。
【図７】  直径の大きい風車を上部へ配置した構造の中央部断面図。
【符号の説明】
１は固定整流板      ２は固定整流板      ３は可動整流板
４は可動整流板      ５は羽根      ６は羽根      ７は風車
８は風車      ９は誘導板      １０はラチェット      １１はラチェット
１２は軸受      １３は軸受      １４は軸受      １５は軸受      １６は軸受
１７は軸受      １８は軸受      １９は発電機      ２０は回転軸
２１はフライホイール      ２２は回転軸支え      ２３は支柱
２４は固定整流板      ２５は可動整流板      ２６は可動整流板
２７は回転軸      ２８はラチェット      ２９は風車      ３０は風車
【図１】
2005226625.tif 000003
【図２】
2005226625.tif 000004
【図３】
2005226625.tif 000005
【図４】
2005226625.tif 000006
【図５】
2005226625.tif 000007
【図６】
2005226625.tif 000008
【図７】
2005226625.tif 000009
(57)【要約】      （修正有）【課題】僅かな電力使用で多大な電力が発生出来る装置を提供する。【解決手段】梃子を油圧又は電磁石で反復作動支点軸を回転させ動力源とする。【選択図】図１
2005226626.tif 000002
【特許請求の範囲】
【請求項１】
動力源として使用
【請求項２】
電力発電に使用
【発明の詳細な説明】
【発明の詳細な説明】
【０００１】有限の燃料を使用せず僅かな電力使用で多大の電力が発生出来る
【背景技術】
【０００２】従来の電力は水力・火力・原子力で発生させ公害と危険が伴う
【発明を実施するための最良の形態】
【０００３】現在は模型で製作実験
【図面の簡単な説明】
【図１】略図ですが  梃子を油圧又は電磁石で作動支点軸を回転させ動力として使用
【図１】
2005226626.tif 000003
(57)【要約】      （修正有）【課題】僅かなエネルギ使用で、公害・危険を伴わない安全で安定した多大の回転動力を提供する。【解決手段】引車を使用し梃子方式で支点軸を回転させ動力源を発生させる。【選択図】図１
2005226628.tif 000002
【特許請求の範囲】
【請求項１】
牽引車を使用
【請求項２】
梃子方式回転
【発明の詳細な説明】
【発明の詳細な説明】
【０００１】僅かなエネルギ使用で多大の動力が発生出来る
【背景技術】
【０００２】従来のエネルギは水力・火力・原子力等で公害・危険を伴う本方式は安全と安定
【発明を実施するための最良の形態】
【０００３】現在は模型で製作実験
【図面の簡単な説明】
【図１】略図ですが梃子方式で牽引車を使用して大容量の動力と大容量の発電が可能である
【図１】
2005226628.tif 000003
(57)【要約】【課題】ポンプボトルの中身を補充する際に、逆さまに置いておくことのできる、ポンプを提供する。【解決手段】ポンプの上部に天板を設け、シリンダーに液受けを設けたことを特徴としたポンプ。【選択図】図１
2005226629.tif 000002
【特許請求の範囲】
【請求項１】
ポンプの上部に天板を設け、シリンダーに液受けを設けたことを特徴としたポンプ式容器のポンプ部。
【発明の詳細な説明】
【技術分野】
【０００１】  本発明は、シャンプーや洗剤等のポンプ式容器において、ポンプ上部に天板を設け、シリンダーに液受けを設けたポンプに関するものである。
【背景技術】
【０００２】  従来、中身が無くなるとポンプを取り外して、中身を補充できる、詰め替えを可能としたポンプボトルがあった。
【特許文献１】  登録実用新案第０５５９７４号
【発明の開示】
【発明が解決しようとする課題】
【０００３】  そのために、次のような問題点があった。
中身を補充する際、ポンプを取り外してボトル上部を開口させ、補充を行うが、その  間詰め替え用の新たな液状等を開口からポンプ内部へ注ぐ必要があるため、ピストン式  のポンプ部は抜いて何処かに置かなければならず、衛生面で問題があった。上記特許文  献１において開示されているように、ボトルの開口部にポンプを掛ける方法も考えられ  るが、開口部の狭いボトルも多く、また、空のボトルの重心が高い位置になるため、ポ  ンプとボトルを切り放せるものも必要である。
【課題を解決するための手段】
【０００４】  ポンプの上部に天板を設け、ポンプを逆さまに置けるようにする、この時、吸引パイプに付着した中身の液体が垂れないよう、シリンダーに液受けをもうける。以上を特徴とするポンプ式容器のポンプ部である。
【発明の効果】
【０００５】  ポンプボトルの中身を補充する際、ポンプを逆さまに置けるので、ポンプのボトルに収納される部分に、不純物の付着を防ぐことができ、置いた先も汚さずに済む。
【発明を実施するための最良の形態】
【０００６】  以下、本発明の実施の形態について説明する。
ポンプ上部のピストンヘッド（１）に天板（２）を設け、シリンダー（３）に液受け（４）を設ける。
本発明は以上のような構成で、これを使用するときは、天板（２）を利用して逆さまに置き、シリンダー（３）に設けた液受け（４）で、吸引パイプ（５）から垂れてきた液体を止め、その間に中身の補充を完了する。
また本発明の他の実施例として、図２に示すように、天板（２）下部にポンプの注出口に当接する部位を一部溝状に切った（図示せず）、ピストンヘッドに勘合するピストンヘッドのカバー（６）を形成し、ピストンヘッド（１）と脱着できるようにしてもよい。この際、脱着のできるようにする手段は、ピストンヘッドのカバー（６）に限らない。
【図面の簡単な説明】
【０００７】
【図１】本発明の側面図
【図２】本発明の他の実施例を示す側面図
【符号の説明】
【０００８】  １  ピストンヘッド
２  天板
３  シリンダー
４  液受け
５  吸引パイプ
６  ピストンヘッドのカバー
【図１】
2005226629.tif 000003
【図２】
2005226629.tif 000004
(57)【要約】【課題】一端締めた後は、締め付け工具により容易に緩めることができず、且つ、振動によっても容易に緩まない。【解決手段】ボルトと前記ボルトに螺合するナットとから構成され、前記ナットは、外周面が二段テーパー状に形成され、先端部側テーパー面の傾斜角度（θ1）は、後端部側テーパー面の傾斜角度（θ2）より大きく、前記先端部側テーパー面には、雌ねじ孔内に突出するかしめ部が少なくとも１つ形成され、前記後端部側テーパー面には、締め付ける方向にのみ、締め付け工具と係合する切り欠きが少なくとも１つ形成されている。【選択図】図１
2005226685.tif 000002
【特許請求の範囲】
【請求項１】
ボルトと前記ボルトに螺合するナットとから構成され、前記ナットは、外周面が二段テーパー状に形成され、先端部側テーパー面の傾斜角度（θ1）は、後端部側テーパー面の傾斜角度（θ2）より大きく、前記先端部側テーパー面には、雌ねじ孔内に突出するかしめ部が少なくとも１つ形成され、前記後端部側テーパー面には、締め付ける方向にのみ、締め付け工具と係合する切り欠きが少なくとも１つ形成されていることを特徴とする締結手段。
【請求項２】
前記ボルトは、その頭部が円形状に形成されていることを特徴とする、請求項１記載の締結手段。
【発明の詳細な説明】
【技術分野】
【０００１】
この発明は、締結手段、特に、一端締めた後は、締め付け工具により容易に緩めることができず、且つ、振動によっても容易に緩まない締結手段に関するものである。
【背景技術】
【０００２】
従来、例えば、図４に示すような金網フェンスは、菱形金網７を張ったネットバー８を支柱９に継手１０を介してボルト１１およびナット１２により固定したものからなり、敷地の境界等に構築され、敷地内への侵入者対策として効果を奏している。このようなフェンスは、基本的にはボルト、ナットからなる締結手段により組み立てられているので、その解体も比較的容易に行える。
【０００３】
しかしながら、解体が容易に行えるということは、外部からの侵入者も容易に解体できることを意味するので、防犯上大きな問題となっていた。
【０００４】
そこで、一端構築された後は、容易に解体することができないフェンス等を構築するための締結手段が、例えば、特許文献１（特開平１１−３５１２２８号公報）に開示されている。
【０００５】
この締結手段は、ボルト、ナットからなり、ボルトの頭部またはナットの外周面に締める方向にのみ締め付け工具と係合する切り欠きが形成されたものである。以下、従来締結手段という。
【０００６】
【特許文献１】特開平１１−３５１２２８号公報
【発明の開示】
【発明が解決しようとする課題】
【０００７】
上述した従来締結手段によれば、締める方向にのみ締め付け工具と係合する切り欠きが形成されているので、容易に緩めることができないといった目的をある程度、達成することができる。
【０００８】
しかしながら、締め付け工具によって容易に緩めることができなくても、振動によりボルトあるいはナットが緩んでしまうといった問題があった。
【０００９】
従って、この発明の目的は、一端締めた後は、締め付け工具により容易に緩めることができず、且つ、振動によっても容易に緩まない締結手段を提供することにある。
【００１０】
この発明は、上述した目的を達成するためになされたものであり、下記を特徴とするものである。
【００１１】
請求項１記載の発明は、ボルトと前記ボルトに螺合するナットとから構成され、前記ナットは、外周面が二段テーパー状に形成され、先端部側テーパー面の傾斜角度（θ1）は、後端部側テーパー面の傾斜角度（θ2）より大きく、前記先端部側テーパー面には、雌ねじ孔内に突出するかしめ部が少なくとも１つ形成され、前記後端部側テーパー面には、締め付ける方向にのみ、締め付け工具と係合する切り欠きが少なくとも１つ形成されていることに特徴を有するものである。
【００１２】
請求項２記載の発明は、請求項１記載の発明において、ボルトは、その頭部が円形状に形成されていることに特徴を有するものである。
【発明の効果】
【００１３】
この発明によれば、一端締めた後は、締め付け工具により容易に緩めることができず、且つ、振動によっても容易に緩まない。
【発明を実施するための最良の形態】
【００１４】
この発明の締結手段の一実施態様を、図面を参照しながら説明する。
【００１５】
図１は、この発明の締結手段のナットを示す斜視図、図２は、この発明の締結手段のナットを示す断面図、図３は、この発明の締結手段のボルトを示す正面図である。
【００１６】
図１および図２に示すように、この発明の締結手段のナットは、外周面が二段テーパー状に形成され、先端部側テーパー面１の傾斜角度（θ1）は、後端部側テーパー面２の傾斜角度（θ2）より大きい。そして、先端部側テーパー面１には、雌ねじ孔３内に突出するかしめ部４が少なくとも１つ形成され、後端部側テーパー面２には、締め付ける方向にのみ、締め付け工具と係合する切り欠き５が少なくとも１つ形成されている。
【００１７】
このように構成されている、この発明の締結手段のナットによれば、締め付けの際には、後端部側テーパー面２の切り欠き５に係合する専用締め付け工具により締め付けることができるが、一端締め付けた後は、緩めようと締め付け工具を逆方向に回転させても、締め付け工具の爪が切り欠き５に係合せず滑ってしまうので、緩めることができない。
【００１８】
さらに、かしめ部４がボルトのネジ部に食い込み、ナットの回転を阻止するので、振動によってナットが緩むこともない。なお、かしめ部４は、ナットの締め付け方向の回転を阻止するほど雌ねじ孔３内に突出していないので、ナットの締め付けには、支障は来たさない。
【００１９】
図３に示すボルト６は、その頭部が円形に形成されているので、締め付け工具によりボルトを回すことができない。従って、このボルト６を上述したナットと組み合わせて使用すれば、ナット側およびボルト側の何れの側からも緩めることができない。従って、この締結手段により、例えば、金網フェンスを構築すれば、侵入者がフェンスを解体して侵入することを確実に防止することができる。
【図面の簡単な説明】
【００２０】
【図１】この発明の締結手段のナットを示す斜視図である。
【図２】この発明の締結手段のナットを示す断面図である。
【図３】この発明の締結手段のボルトを示す正面図である。
【図４】金網フェンスの部分斜視図である。
【符号の説明】
【００２１】
１：先端部側テーパー面
２：後端部側テーパー面
３：雌ねじ孔
４：かしめ部
５：切り欠き
６：ボルト
７：菱形金網
８：ネットバー
９：支柱
１０：継手
１１：ボルト
１２：ナット
【図１】
2005226685.tif 000003
【図２】
2005226685.tif 000004
【図３】
2005226685.tif 000005
【図４】
2005226685.tif 000006
(57)【要約】【課題】帽子の顎のゴムテープ  特に、学童用の帽子のゴムは、必要性も高く、消耗し易い為簡単に付け替え可能なゴムテープを提供します。【解決手段】ゴムテープの両端に  ホックを一組ずつ付け、帽子本体両サイドには、ゴムテープが掛けられるようにし、消耗時には、何度でも  簡単にゴムテープのみを交換できる。【選択図】図１
2005226218.tif 000002
【特許請求の範囲】
【請求項１】
帽子の顎に掛けるゴムテープの取替えにあたり、針や糸を使わず、ホックによって  脱着可能にしたゴムテープについて
【発明の詳細な説明】
【技術分野】
【０００１】学童用の帽子などに縫い付ける、ゴムテープの両端に、小さいホックを、一組ずつ取り付けました。
【背景技術】
【０００２】従来の帽子のゴムでは、ゴムテープ自体が、帽子本体に縫い付けられ、取替えが、簡単に出来るものではなかった。
【発明の開示】
【発明が解決しようとする課題】
【０００３】子供の帽子のゴムテープは、頻繁に取り替える必要があり、ハサミで  古いゴムテープを切り取り、針と糸で  新しいゴムテープを  帽子の本体に縫いつけることで、取り付け位置は  二度三度で  ボロボロにもなり、容易な事ではなかった。本発明は、この課題を解決し、帽子のゴムテープが  簡単に交換できるものである。
【課題を解決するための手段】
【０００４】ゴムテープの両端に、小さいホックを一組ずつ取り付け、ゴムテープの取替えの際は、ゴムテープの部分だけをホックで脱着し  交換できるようにした。
【発明の効果】
【０００５】幾度、ゴムの交換をしても、帽子本体の生地を傷めることも無く、針仕事が苦手でも、簡単にゴムが取り替えられる。
【発明を実施するための最良の形態】
【０００６】帽子の本体には、長さ１ｃｍ程の  伸縮性の無い布テープを  帽子の内側に  ゴムテープが掛けられるように縫い付けておく。
赤白帽子などの、両面使用の帽子は  両サイドに  帽子の縫製の段階で、布テープをループ状に挟み縫いしておき、ゴムテープを掛けてホックを止める。
【実施例】
【０００７】図１は、本発明の正面図で、ゴムテープの両端に、ホックを一組ずつ取り付けました。【０００８】図２は、帽子本体に、図１のゴムテープを取り付けました。
【産業上の利用可能性】
【０００９】帽子の顎のゴムテープ不可欠で、とても痛みやすく、度々取替えが必要です。本発明のゴムテープなら、針や糸も使わず、簡単に取替えが可能です。
【図面の簡単な説明】
【００１０】
【図１】本発明のゴムテープの正面図です。
【図２】本発明の実施方法を示した図です。
【図３】ゴムテープ取り付け部分の拡大図です。
【符号の説明】
【００１１】１      ゴムテープ
２      ホック
３      帽子
４      布テープ
【図１】
2005226218.tif 000003
【図２】
2005226218.tif 000004
【図３】
2005226218.tif 000005